(57)【特許請求の範囲】
【請求項１】
通信装置が無線通信可能な無線エリアを形成する移動基地局であって、
前記無線エリア内の通信装置に対して、当該無線エリアを識別する識別情報を報知する報知部と、
前記識別情報とは異なる識別情報を保持している通信装置から、位置登録要求を受信する受信部と、
受信した前記位置登録要求に基づいて、前記通信装置の位置情報を登録する登録部と、
前記報知部が報知する前記識別情報を、自身の位置の変化に応じて変更する変更部と、
自身の位置の変化量に対する閾値を設定する設定部と、を備え、
前記変更部は、前記変化量が前記閾値を超えると、前記報知部が報知する前記識別情報を変更する、移動基地局。
【請求項２】
前記変更部が変更する識別情報の候補である候補識別情報を複数記憶する記憶部と、
前記位置登録要求を受信すると、当該位置登録要求を行った通信装置に対して、前記報知部が報知した前記識別情報に加え、複数の前記候補識別情報のうちの少なくとも一の候補識別情報を送信する送信部と、
を備える請求項１に記載の移動基地局。
【請求項３】
前記送信部は、前記位置登録要求を行った複数の通信装置の夫々に対して異なる候補識別情報を送信する、
請求項２に記載の移動基地局。
【請求項４】
通信装置の位置を登録する位置登録方法であって、
無線エリアを形成する基地局から、当該無線エリア内の通信装置に対して、当該無線エリアを識別する識別情報を報知するステップと、
報知された前記識別情報とは異なる識別情報を保持している通信装置から、前記基地局に対して位置登録要求を送信するステップと、
前記位置登録要求に基づいて、前記通信装置の位置情報を登録するステップと、
前記基地局を移動するステップと、
前記基地局の位置の変化に応じて、当該基地局が報知する識別情報を変更するステップと、
自身の位置の変化量に対する閾値を設定するステップと、
を含み、
前記識別情報を変更するステップでは、前記変化量が前記閾値を超えると、報知する前記識別情報を変更する、
位置登録方法。
【発明の詳細な説明】
【技術分野】
【０００１】
本発明は、通信装置の位置を把握することで、ユーザの位置を確認する移動基地局及び位置登録方法に関する。
【背景技術】
【０００２】
災害、海難、山岳事故等の被災者（遭難者）の人命救助には、効果的な時間が限られていることから、災害等が発生してからできる限り早急に被災者の位置を把握することが望まれる。被災者の位置を把握するための方法として、GPS（Global Positioning System）が着目されており、「人命救助等におけるGPS位置情報の取扱いに関するとりまとめ（総務省  報道資料）」等のように広く検討が行われている。
【０００３】
また、特許文献１には、GPSを用いてユーザの位置を確認する方法、具体的には、常時又は間欠的にGPS信号を送信し続ける通信装置を装着した状態でレジャーを行うことで、遭難したユーザの位置を早急に確認可能にする方法が開示されている。また、特許文献１の方法では、通信装置にユーザの個人情報を予め登録しておくことで、遭難したユーザを一意に特定可能にしている。
【先行技術文献】
【特許文献】
【０００４】
【特許文献１】特開２００１−３２５６３４号公報
【発明の概要】
【発明が解決しようとする課題】
【０００５】
GPS機能は多くの通信装置が具備しており、また、GPSの測位精度も数メートル〜数十メートルと高いため、被災者の位置を確認するための方法として有用である。しかしながら、GPSでは、衛星からの信号を元に測位を行うため、衛星への見通しが必要であるとともに、即位した位置情報をサーバ等に送信するためには、専用のアプリケーションが必要である等の様々な制約が存在する。
また、災害や遭難等が発生することを予測することは困難であるため、特許文献１のように、GPS信号を自動的に送信する特殊な通信装置や、個人情報の事前の登録を要求する方法は、適用場面が著しく限定される。
【０００６】
一方、UMTS（Universal Mobile Telecommunications System）、UTRAN（UMTS Terrestrial Radio Access Network）及びeUTRAN（evolved UTRAN）等の広域無線システムでは、当該広域無線システムを利用する携帯電話やスマートフォン等の通信装置の位置をルーティングエリア（RA: Routing Area）やトラッキングエリア（TA: Tracking Area）等という単位で管理している。なお、以後の説明ではトラッキングエリアを例として用いるがそれに限定されるものではない。
【０００７】
この広域無線システムにおける通信装置の位置登録は、着信時の呼び出し（ページング）等のために行うものであり、専用のアプリケーションやユーザの操作等を必要とすることなく、通信装置が広域無線システムのために基本的に備える機能により自動的に行われる。そのため、被災地等において被災者が通信装置を操作できない状況にあったとしても、当該通信装置の位置情報を自動的に確認することができる。
一方、トラッキングエリアは、一又は複数の基地局（eNodeB）によりカバーされるため、数百メートル〜数キロメートルといった広範囲のエリアであり、被災者の位置を把握するためには精度が不十分という問題がある。
【０００８】
本発明は、このような問題に鑑みてなされたものであり、通信装置に特別な改修を加えることなく、精度良く通信装置の位置を把握可能な移動基地局及び位置登録方法を提供することを目的とする。
【課題を解決するための手段】
【０００９】
本発明の第１の態様においては、通信装置が無線通信可能な無線エリアを形成する移動基地局であって、前記無線エリア内の通信装置に対して、当該無線エリアを識別する識別情報を報知する報知部と、前記識別情報とは異なる識別情報を保持している通信装置から、位置登録要求を受信する受信部と、受信した前記位置登録要求に基づいて、前記通信装置の位置情報を登録する登録部と、前記報知部が報知する前記識別情報を、自身の位置の変化に応じて変更する変更部と、を備える移動基地局を提供する。
【００１０】
また、自身の位置の変化量に対する閾値を設定する設定部を更に備え、前記変更部は、前記変化量が前記閾値を超えると、前記報知部が報知する前記識別情報を変更することとしてもよい。
【００１１】
また、前記変更部が変更する識別情報の候補である候補識別情報を複数記憶する記憶部と、前記位置登録要求を受信すると、当該位置登録要求を行った通信装置に対して、前記報知部が報知した前記識別情報に加え、前記複数の候補識別情報のうちの少なくとも一の候補識別情報を送信する送信部とを更に備えることとしてもよい。
【００１２】
また、前記送信部は、前記位置登録要求を行った複数の通信装置の夫々に対して異なる候補識別情報を送信することとしてもよい。
【００１３】
本発明の第２の態様においては、通信装置の位置を登録する位置登録方法であって、無線エリアを形成する前記基地局から、当該無線エリア内の通信装置に対して、当該無線エリアを識別する識別情報を報知するステップと、報知された前記識別情報とは異なる識別情報を保持している通信装置から、前記基地局に対して位置登録要求を送信するステップと、前記位置登録要求に基づいて、前記通信装置の位置情報を登録するステップと、前記基地局を移動するステップと、前記基地局の位置の変化に応じて、当該基地局が報知する識別情報を変更するステップと、を含む位置登録方法を提供する。
【発明の効果】
【００１４】
本発明によれば、通信装置に特別な改修を加えることなく、精度良く通信装置の位置を把握することができる。
【図面の簡単な説明】
【００１５】
【図１】移動基地局の概要を示す図である。
【図２】移動基地局の機能構成を示すブロック図である。
【図３】記憶部に記憶されるエリア識別子リスト及び位置登録リストの一例を示す図である。
【図４】追加機能の動作例を示す図である。
【図５】送信部が送信するエリア識別子のリストの一例を示す図である。
【図６】移動基地局及び通信装置の動作の流れを示す動作フローである。
【発明を実施するための形態】
【００１６】
［移動基地局１の概要］
初めに、図１を参照して、本発明の移動基地局１の概要について説明する。移動基地局１は、所定の移動手段により移動可能な基地局であり、図１（Ａ）に示すように、携帯電話やスマートフォン等の通信装置１００が無線通信可能な無線エリアを形成する。なお、所定の移動手段としては、陸上移動、水上移動及び空中移動等の任意の手段を用いることができ、本実施形態では、一例として、気球やヘリコプター等による空中移動を想定している。
移動基地局１は、エリア特定機能２、追加機能３及び測位機能４を備える。
【００１７】
エリア特定機能２は、通信装置１００が在圏する無線エリアを特定するための機能であり、eUTRAN等の広域無線システムにおいて位置登録機能等として既に実装されている機能である。
具体的には、eUTRANを用いたセルラー通信では、通信装置１００から所定のタイミングで送信されるTAU（Tracking Area Update）やAttach Request、Service Requestと呼ばれる制御信号に基づいて、当該通信装置１００が在圏する無線エリアを把握している。
【００１８】
ここで、通信装置１００がTAUを送信するタイミングは、前回送信時から一定の時間が経過した場合、接続先の基地局（eNodeB）が変わった場合、通信装置１００の電源がONになった場合等であるが、本実施形態では、２点目の接続先の基地局が変わった場合に着目している。
【００１９】
広域無線システムにおいて、基地局には、自身が管理する無線エリアの識別子であるTAC（Tracking Area Code）が設定されており、その情報を通信装置１００に対して報知している。通信装置１００は、直前に自身が在圏していたTAを含むTAリストを保持しており、基地局から報知されたTAと保持しているTAリストとを比較し、報知されたTAがTAリストに含まれていない場合に、接続先の基地局が変わったと判定してTAUを送信する。
広域無線システムでは、このTAUを受けると、通信装置１００が当該時点で在圏しているTAを含むTAリストをTAUA（Tracking Area Update Accept）に格納して、通信装置１００に対して返信する。通信装置１００では、TAUAを受信すると、自身が保持するTAリストを更新することで、広域無線システムにおいて通信装置１００が在圏する無線エリアが把握される。
【００２０】
エリア特定機能２では、通信装置１００から送信されたTAUに基づいて、通信装置１００の位置登録処理、即ち、通信装置１００が在圏する無線エリアを特定する。
なお、eUTRANにおいて、通信装置１００の位置登録処理は、基地局ではなく、基地局に接続されたコアネットワークであるEPC（Evolved Packet Core）のMME（Mobility Management Entity）において行われる。この点、本発明の移動基地局１は、基地局に加えサーバを備えることでエリア特定機能２を発揮することとしてもよく、また、バックボーンインフラとしてのMMEと協働することでエリア特定機能２を発揮することとしてもよい。本実施形態では、説明を簡易にするため、移動基地局１は、基地局とサーバとにより構成されるものとする。
【００２１】
測位機能４は、自身（移動基地局１）の位置を測定する機能である。なお、移動基地局１の位置を測定する方法は任意であり、例えば、GPSを利用して測位することとしてもよく、また、移動するルートとスケジュールが決まっている場合には、時刻等から測位することとしてもよい。
【００２２】
移動基地局１では、自身が移動することで、自身が形成する無線エリアの位置も変化する。そこで、移動基地局１は、エリア特定機能２により特定した通信装置１００が在圏する無線エリアと、測位機能４により特定した自身（無線エリア）の位置との関係から、通信装置１００の位置情報を特定する。
【００２３】
ところで、既存の広域無線システムでは、無線エリアの識別子であるTAC（以下、「エリア識別子」と呼ぶ）を、基地局に対して固定的に割り当てている。エリア識別子を固定にした場合、基地局が移動したとしても、通信装置１００は、移動の前後において同一の基地局に接続されていると判定するため、通信装置１００の位置を精度良く特定することができない。
この点、移動基地局１が形成する無線エリアに対してエリア識別子「１」が設定されており、移動基地局１が地点Ａ、地点Ｂ、地点Ｃの順に移動する場合（図１（Ｂ））を例にとり、説明する。
【００２４】
図１（Ｂ）に示すように、地点Ａにおいて、移動基地局１は、自身の無線エリアに対してエリア識別子「１」を報知する。この報知を受け、通信装置１００は、TAU（以下、「位置登録要求」と呼ぶ）を送信することで位置登録を行うとともに、エリア識別子「１」を含むTAリストが格納されたTAUA（以下、「位置登録応答」と呼ぶ）を受信することで、自身が保持するTAリストを更新する。
その後、移動基地局１が地点Ｂ及び地点Ｃに移動すると、移動基地局１は、自身の無線エリアに対してエリア識別子「１」を報知するが、通信装置１００では、エリア識別子「１」を含むTAリストを保持しているため、移動基地局１に対して位置登録要求を送信することがない。
【００２５】
その結果、移動基地局１では、自身が地点Ａに存在するときに形成した無線エリアであるエリア２００の範囲を、通信装置１００が存在する位置として特定することになるが、エリア２００は広範囲であるため、エリア特定機能２及び測位機能４だけでは、通信装置１００の位置を精度良く特定することができない。これは、エリア特定機能２及び測位機能４では、ページング等の通信のために必要となる精度（トラッキングエリアや基地局の単位）で位置を把握すればよいためである。
【００２６】
追加機能３は、通信装置１００の位置特定の精度を向上させるために発揮され、固定的であったエリア識別子を、移動基地局１の移動に合わせて変更する機能である。
一例として、図１（Ｃ）に示すように、追加機能３は、移動基地局１が地点Ａに存在する場合に、当該移動基地局１が形成する無線エリアのエリア識別子を「１」にセットし、その後、移動基地局１が地点Ｂに移動するとエリア識別子を「２」に変更し、その後、移動基地局１が地点Ｃに移動するとエリア識別子を「３」に変更する。
【００２７】
通信装置１００からすると、地点Ａ、地点Ｂ、地点Ｃの夫々において、移動基地局１から異なるエリア識別子が報知されるため、夫々のタイミングにおいて、位置登録要求を送信することになる。その結果、追加機能３を移動基地局１に追加することで、通信装置１００の位置をエリア２００（図１（Ｂ））からエリア２１０（図１（Ｃ））の範囲に絞ることができ、通信装置１００に改修を加えることなく、精度良く通信装置１００の位置を特定することができる。
また、エリア識別子を変更する間隔や、移動基地局１が形成する無線エリアのサイズを調整することで、運用者（救助者）が所望する粒度で通信装置１００の位置を特定することができ、好適である。なお、無線エリアのサイズは、例えば、移動基地局１の送信電力や利用する周波数帯を調整することで調整することができる。
【００２８】
以下、図面を参照して本発明の移動基地局１を実現するための具体的な構成等について説明する。
【００２９】
［移動基地局１の機能構成］
図２は、移動基地局１の機能構成を示すブロック図である。図２に示すように、移動基地局１は、通信部５と、記憶部６と、制御部７と、を含んで構成される。
通信部５は、送信アンテナ及び受信アンテナを含んで構成され、制御部７から出力された信号を変調してＲＦ（Radio Frequency）信号を生成し、送信アンテナを介して周囲の通信機器に対して無線送信する。また、通信部５は、受信アンテナを介して受信したＲＦ信号を復調して制御部７に出力する。
【００３０】
記憶部６は、例えば、ROM及びRAM等により構成される。記憶部６は、制御部７を機能させるための各種プログラムや各種データを記憶する。また、記憶部６は、エリア識別子リスト及び位置登録リストを記憶する。ここで、エリア識別子リスト及び位置登録リストの一例を、図３に示す。
【００３１】
図３（Ａ）は、エリア識別子リストに記憶される情報の一例である。エリア識別子リストは、移動基地局１が報知するエリア識別子を複数記憶する。本実施形態では、移動基地局１は、自身の位置の変化に応じてエリア識別子を変更するため、エリア識別子リストは、変更するエリア識別子の候補である候補エリア識別子を複数記憶するものといえる。
【００３２】
図３（Ｂ）は、位置登録リストに記憶される情報の一例である。位置登録リストは、通信装置１００から位置登録要求（TAU）を受信するたびに更新され、当該通信装置１００の位置を特定するための情報を記憶する。
なお、通信装置１００の位置を特定するための情報とは、例えば、当該通信装置１００から位置登録要求を受信した時刻、位置登録要求を受信した際に報知していたエリア識別子等の任意の情報である。移動基地局１にとって自身の位置等は既知であるため、位置登録要求を受信するたびに位置登録リストを更新することで、自身（無線エリア）の位置と、通信装置１００の在圏の有無とが紐づけられ、結果、通信装置１００の位置を特定することができる。
【００３３】
図２に戻り、制御部７は、例えば、CPUにより構成され、記憶部６に記憶されている各種プログラムを実行することにより、上述したエリア特定機能２、追加機能３及び測位機能４を発揮する。なお、測位機能４は上述した通りであるため、以下では、エリア特定機能２及び追加機能３について説明し、測位機能４についての詳細な説明は省略する。
エリア特定機能２を発揮する場合、制御部７は、報知部２１と、受信部２２と、送信部２３と、登録部２４とを含んで構成される。
【００３４】
報知部２１は、移動基地局１が形成する無線エリア内の通信装置１００に対して、当該無線エリアを識別するエリア識別子を報知する。受信部２２は、報知部２１が報知したエリア識別子とは異なるエリア識別子を保持している通信装置１００から、位置登録要求を受信する。
送信部２３は、通信装置１００から位置登録要求を受信すると、当該通信装置１００に対して位置登録応答を行う。具体的には、送信部２３は、通信装置１００に対して報知部２１が報知したエリア識別子を含むエリア識別子のリストを送信することで、位置登録応答を行う。なお、送信部２３が送信するエリア識別子のリストの詳細については、図５において後述する。
【００３５】
登録部２４は、位置登録要求を受信すると、当該位置登録要求を行った通信装置１００の位置情報を登録する。具体的には、登録部２４は、受信した位置登録要求に基づいて、図３（Ｂ）に示す位置登録リストを更新することで、通信装置１００の位置情報を登録する。一の通信装置１００に対して、位置情報の登録を繰り返し行うことで、当該通信装置１００の詳細な位置が絞られることになる。
【００３６】
追加機能３は、報知部２１が報知するエリア識別子を移動基地局１の移動に合わせて変更する機能である。ここで、図４は、追加機能３の動作例を示す図である。図４に示すように、移動基地局１は、所定の条件を満たすまでは同一のエリア識別子を報知し、当該条件を満たすと報知するエリア識別子を異なるエリア識別子に変更する。
【００３７】
ここで、所定の条件としては、任意の条件を用いることができ、例えば、移動前後の距離や時間を用いることとしてもよく、また、移動基地局１の位置登録に関する処理負荷等を用いることとしてもよい。位置登録に関する処理負荷からは、同一のエリア識別子で識別される無線エリア内に存在する通信装置１００の台数を判定することができるため、処理負荷を判定条件として用いることで、無線エリア内に一定数の通信装置１００を発見したタイミングでエリア識別子を変更することができる。
なお、これら条件は、単独で用いることとしてもよく、夫々を任意に組み合わせて用いることとしてもよい。
【００３８】
図２に戻り、追加機能３を発揮する場合、制御部７は、検出部３１と、設定部３２と、変更部３３とを含んで構成される。
【００３９】
検出部３１は、移動基地局１の位置の変化量を検出する。上述のようにエリア識別子は、様々な条件に応じて変更することができるため、検出部３１は、用いる条件に応じた変化量を検出する。例えば、判定条件として距離を用いる場合には座標の変化量を検出し、時間を用いる場合には経過時間を検出し、処理負荷を用いる場合には総負荷量を検出する。
【００４０】
設定部３２は、移動基地局１の位置の変化量に対して、エリア識別子を変更する閾値（判定条件）を設定する。この閾値を適宜設定することで、運用者が所望する粒度で通信装置１００の位置を特定することができる。
なお、設定部３２は、静的な閾値を設定することとしてもよく、また、動的な閾値を設定することとしてもよい。静的な閾値とは、固定的な閾値であり、例えば、移動基地局１が災害現場を１周する間は大きな閾値を設定しておくことで、通信装置１００の大まかな位置を把握し、その後、当該大まかな位置に対して小さな閾値を設定することで、通信装置１００の詳細な位置を把握するといった運用方法が想定される。また、動的な閾値とは、移動基地局１が災害現場を１周する間も変化する閾値であり、例えば、処理負荷に応じて閾値を変更することで、多くの通信装置１００が存在するエリアの近傍のエリアを詳細に探索するといった運用方法が想定される。
【００４１】
変更部３３は、報知部２１が報知するエリア識別子を、移動基地局１の位置の変化に応じて変更する。なお、移動基地局１の位置の変化は、上述したように距離、時間、処理負荷等の任意の情報に基づいて検出することができ、変更部３３は、検出した変化量が閾値を超えた場合に、エリア識別子を変更する。
変更部３３は、記憶部６に記憶されているエリア識別子リストに含まれる候補エリア識別子を参照して、当該候補エリア識別子の中から選択した一のエリア識別子を、報知部２１が報知するエリア識別子として変更する。そのため、移動基地局１にとって、変更するエリア識別子は、既知の識別子であることになる。
【００４２】
変更部３３（追加機能３）が報知するエリア識別子を変更すると、報知部２１（エリア特定機能２）は、移動基地局１が形成する無線エリア内の通信装置１００に対して変更後のエリア識別子を報知する。通信装置１００からすると、自身（通信装置１００）は移動していないにも関わらず、報知されるエリア識別子が異なるために接続先の基地局が変わったと判定し、移動基地局１に対して再度の位置登録要求を行うことになる。
その結果、通信装置１００に改修を加えることなく、かつ、通信装置１００のユーザ（被災者）の操作を必要とすることなく、精度良く通信装置１００の位置を把握することができる。
【００４３】
以上、移動基地局１の機能構成について説明した。続いて、図５を参照して、送信部２３が通信装置１００に対して送信するエリア識別子のリストについて説明する。
移動基地局１の位置が変化するたびに通信装置１００の位置登録を行うことで、上述のように通信装置１００の位置を精度良く把握できるという利点が一方で、移動基地局１の処理負荷が増加してしまうという問題がある。送信部２３は、少なくとも報知部２１が報知したエリア識別子を含むエリア識別子のリストを送信することで、移動基地局１の処理負荷を軽減する。なお、測位精度の向上と処理負荷の軽減とはトレードオフの関係にあり、運用者が適宜設定することができる。
【００４４】
上述のように移動基地局１にとって変更する候補エリア識別子は既知である。そこで、送信部２３は、報知部２１が報知したエリア識別子に加え、複数の候補エリア識別子のうちの少なくとも一の候補識別情報を、位置登録要求を行った通信装置１００に対して送信する。
【００４５】
図５（Ａ）に示す例の場合、報知部２１がエリア識別子「１」を報知している状態で位置登録要求を行った通信装置１００に対して、移動基地局１（送信部２３）は、当該エリア識別子「１」に加え、将来変更する予定のエリア識別子「２」を送信している。その結果、移動に伴い報知するエリア識別子が「１」から「２」に変更された場合であっても、通信装置１００は、移動基地局１に対して再度の位置登録要求を行うことがなく、移動基地局１の処理負荷を軽減することができる。
なお、将来変更する予定のエリア識別子とは、位置登録に関する処理負荷の軽減という観点からは、現在の無線エリアと一部が重複する無線エリアに対して設定するエリア識別子であることが好ましい。
【００４６】
また、送信部２３は、複数の通信装置１００から位置登録要求を受け付けた場合に、当該複数の通信装置１００の夫々に対して異なる候補エリア識別情報を送信することとしてもよい。
図５（Ｂ）に示す例の場合、移動基地局１（送信部２３）は、現在報知中のエリア識別子「１」に加え、通信装置１００Ａに対しては、エリア識別子「３」を送信し、通信装置１００Ｂに対しては、通信装置１００Ａに送信するエリア識別子「３」とは異なるエリア識別子「２」を送信している。これにより、移動に伴い報知するエリア識別子が「１」から「２」に変更された場合であっても、通信装置１００Ａは位置登録要求を行う一方で、通信装置１００Ｂは位置登録要求を行わない。その結果、通信装置１００Ａについては位置を精度良く測定することができるとともに、移動基地局１の処理負荷を軽減することができる。
【００４７】
なお、通信装置１００毎に候補エリア識別情報を異ならせる方法は任意であり、例えば、位置登録要求を受け付けた時刻に応じて異ならせることとしてもよく、また、一の無線エリアにおいて所定台数を超える通信装置１００から位置登録要求を受け付けるとその後、候補エリア識別情報を異ならせることとしてもよい。
【００４８】
［移動基地局１及び通信装置１００の動作］
続いて、通信装置１００の位置を把握する際の移動基地局１及び通信装置１００の動作について説明する。図６は、移動基地局１及び通信装置１００の動作の流れを示す動作フローである。
【００４９】
初めに、ステップＳ１において、移動基地局１は、周囲の通信装置に対して自身が形成している無線エリアを識別するエリア識別子「１」を報知する。図６に示す例では、通信装置Ａ，Ｂは、移動基地局１の無線エリア内に存在する一方で、通信装置Ｃは、当該無線エリア内に存在しない。その結果、ステップＳ２，Ｓ３に示すように、通信装置Ａ，Ｂは、移動基地局１に対して位置登録要求を行う一方で、ステップＳ４に示すように、通信装置Ｃは位置登録要求を行わない。
通信装置Ａ，Ｂから位置登録要求を受け付けると、移動基地局１は、当該位置登録要求に応じて位置登録応答を行う。図６に示す例では、移動基地局１は、ステップＳ２において、通信装置Ａに対しては、エリア識別子「１」「３」を含むリストを送信し、ステップＳ３において、通信装置Ｂに対しては、エリア識別子「１」「２」を含むリストを送信している。通信装置Ａ，Ｂでは、受信したリストに基づいて、自身が保持するエリア識別子のリストを更新する。
【００５０】
続いて、ステップＳ５において、移動基地局１は、自身の位置の変化に応じて報知するエリア識別子を「１」から「２」に変更する。続いて、ステップＳ６において、移動基地局１は、周囲の通信装置に対して自身が形成している無線エリアを識別するエリア識別子「２」を報知する。図６に示す例では、通信装置Ａ，Ｂ，Ｃの全てが移動基地局１の無線エリア内に存在している。
【００５１】
通信装置Ａは、ステップＳ３において保持するエリア識別子のリストをエリア識別子「１」「３」に更新しているため、報知されたエリア識別子「２」を保持していない。そこで、通信装置Ａは、ステップＳ７において、移動基地局１に対して位置登録要求を行い、移動基地局１は、当該位置登録要求に応じて位置登録応答を行う。図６に示す例では、移動基地局１は、通信装置Ａに対して、エリア識別子「２」「４」を含むリストを送信している。
【００５２】
他方、通信装置Ｂは、ステップＳ３において保持するエリア識別子のリストをエリア識別子「１」「２」に更新しているため、報知されたエリア識別子「２」を保持している。そのため、ステップＳ８に示すように、通信装置Ｂは、位置登録が不要であり、位置登録要求を行わない。
【００５３】
また、通信装置Ｃは、ステップＳ９において、移動基地局１に対して位置登録要求を行い、移動基地局１は、当該位置登録要求に応じて位置登録応答を行う。図６に示す例では、移動基地局１は、通信装置Ｃに対して、エリア識別子「２」「３」を含むリストを送信している。
【００５４】
続いて、ステップＳ１０において、移動基地局１は、自身の位置の変化に応じて報知するエリア識別子を「２」から「３」に変更する。続いて、ステップＳ１１において、移動基地局１は、周囲の通信装置に対して自身が形成している無線エリアを識別するエリア識別子「３」を報知する。図６に示す例では、通信装置Ｂ，Ｃは、移動基地局１の無線エリア内に存在する一方で、通信装置Ａは、当該無線エリア内に存在しない。
【００５５】
その結果、ステップＳ１２に示すように、通信装置Ａは位置登録要求を行わない。また、通信装置Ｃは、報知されたエリア識別子「３」を保持しているため、ステップＳ１４に示すように、位置登録が不要であり、位置登録要求を行わない。
他方、通信装置Ｂは、報知されたエリア識別子「３」を保持していない。そこで、通信装置Ｂは、ステップＳ１３において、移動基地局１に対して位置登録要求を行い、移動基地局１は、当該位置登録要求に応じて位置登録応答を行う。図６に示す例では、移動基地局１は、通信装置Ｂに対して、エリア識別子「３」「４」を含むリストを送信している。
【００５６】
移動基地局１では、これら動作を繰り返し、被災現場等を探索する。その後、移動基地局１は、ステップＳ１５において、通信装置１００の位置をマッピングし、処理を終了する。具体的には、移動基地局１は、自身が移動することで位置を変更する無線エリアと、通信装置１００の位置登録要求とを紐づけることで、通信装置１００の位置をマッピングする。これにより、通信装置１００の位置を把握することができる。
【００５７】
［移動基地局１の効果］
移動基地局１は、自身が形成する無線エリアに対して当該無線エリアを識別するエリア識別子を報知するところ、自身の位置が変化すると報知するエリア識別子を変更する。携帯電話やスマートフォン等の通信装置１００では、報知されるエリア識別子が変わると接続先の基地局が変わったと判定して、再度の位置登録を行う。その結果、エリア識別子を変更することを繰り返すことで、通信装置１００の位置をマッピングしていくことができる。
通信装置１００によるこのような位置登録は、常時行われているものであり、通信装置１００が基本的に備える機能であるため、移動基地局１によれば、通信装置１００に何らの改修を加えることなく、通信装置の位置を精度良く把握することができる。
【００５８】
また、移動基地局１では、自身の位置の変化量に対する閾値を設定し、この閾値に基づいてエリア識別子を変更する。大きな閾値を設定することで被災現場等を大まかに探索することができ、また、小さな閾値を設定することで被災現場等を詳細に探索することができる。その結果、移動基地局１によれば、運用者が所望する粒度で通信装置１００の位置を特定することができる。
【００５９】
また、移動基地局１では、位置登録要求を行った通信装置１００に対して、報知したエリア識別子に加え、後に報知する可能性のある候補エリア識別子を送信する。これにより、通信装置１００が位置登録要求を行う頻度を調整することができるため、移動基地局１の処理負荷を軽減することができる。
このとき、移動基地局１は、複数の通信装置１００の夫々に対して異なる候補エリア識別子を送信することで、通信装置１００の測位精度と移動基地局１の処理負荷とを適切に調整することができ、好適である。
【００６０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００６１】
１・・・移動基地局
２・・・エリア特定機能
２１・・・報知部
２２・・・受信部
２３・・・送信部
２４・・・登録部
３・・・追加機能
３１・・・検出部
３２・・・設定部
３３・・・変更部
４・・・測位機能
１００・・・通信装置
【図１】
0006362557.tif 000002
【図２】
0006362557.tif 000003
【図３】
0006362557.tif 000004
【図４】
0006362557.tif 000005
【図５】
0006362557.tif 000006
【図６】
0006362557.tif 000007